(57)【要約】  【課題】衛生的に利用することができ、また、尿検査結果を個別に管理してセキュリティを確保することができる、尿中成分測定システムを提供すること。  【解決手段】尿センサチップ１４０を装着するための尿センサチップ装着部１２８と、尿中の成分を測定する尿中成分測定手段１１１と、尿中成分測定手段１１１の測定結果を記録する記録媒体１３０を装着するための記録媒体装着部１１２とを備えた、人の尿中の成分を計測する尿中成分測定器１１０を提供する。【選択図】図１
2006052951.tif 000002
【特許請求の範囲】
【請求項１】
尿センサチップを装着するための尿センサチップ装着部と、
尿中の成分を測定する尿中成分測定手段と、
前記尿中成分測定手段の測定結果を記録する記録媒体を装着するための記録媒体装着部とを備えた、人の尿中の成分を計測する尿中成分測定器。
【請求項２】
さらに、記録媒体が挿入できるように前記記録媒体装着部の開閉口を開放させる記録媒体受入手段を備え、
前記記録媒体受入手段は、前記尿センサチップが排出された場合に、前記記録媒体を挿入できるように前記記録媒体装着部の前記開閉口を開放させる、請求項１に記載の尿中成分測定器。
【請求項３】
さらに、前記記録媒体が装着されたことを検知する記録媒体検知手段と、
前記測定結果を表示する結果表示手段とを備え、
前記結果表示手段は、前記記録媒体検知手段により前記記録媒体の装着が検知された場合に、前記測定結果を表示する、請求項１または２に記載の尿中成分測定器。
【請求項４】
さらに、前記尿中成分測定手段により尿中成分の測定を完了したことを検知する測定完了検知手段と、
前記測定完了検知手段により測定の完了が検知された際に、測定完了を報知する測定完了報知手段とを備えた、請求項１〜３のいずれかに記載の尿中成分測定器。
【請求項５】
前記記録媒体は、個人識別情報記憶部を有しており、
さらに、前記個人識別情報記憶部から個人識別をおこなう情報を読み取って個人識別をおこなう個人識別手段を備えた、請求項１〜４のいずれかに記載の尿中成分測定器。
【請求項６】
さらに、前記測定結果を一時的に記憶する尿中成分情報一時記憶手段を備え、
前記尿中成分情報一時記憶手段に記憶された前記測定結果を前記記録媒体に転送すると、前記尿中成分情報一時記憶手段に記憶された前記測定結果が削除される、請求項１〜５のいずれかに記載の尿中成分測定器。
【請求項７】
さらに、前記尿センサチップが挿入されたことを検知するセンサ検知手段と、
前記尿センサチップが装着されている状態にある時に、前記記録媒体を挿入しようとすると報知する報知手段とを備えた、請求項１〜６のいずれかに記載の尿中成分測定器。
【請求項８】
前記尿中成分測定器の、少なくともその一部に、抗菌処理および／または撥水加工処理がほどこされている、請求項１〜７のいずれかに記載の尿中成分測定器。
【請求項９】
尿センサチップを装着するための尿センサチップ装着部、尿中の成分を測定する尿中成分測定手段、および前記尿中成分測定手段の測定結果を記録する記録媒体を装着するための記録媒体装着部を有する、人の尿中の成分を計測する尿中成分測定器に、前記尿センサチップを装着するステップと、
前記尿センサチップが前記尿中成分測定器から排出された場合に、前記記録媒体を挿入できるように前記記録媒体装着部の前記開閉口を開放するステップとを備えた、尿中成分測定方法。
【請求項１０】
請求項５に記載の尿中成分測定器の、
前記記録媒体の前記個人識別情報記憶部から個人識別をおこなう情報を読み取って個人識別をおこなう前記個人識別手段としてコンピュータを機能させるためのプログラム。
【請求項１１】
請求項１０に記載のプログラムを担持した記録媒体であって、コンピュータで利用可能な記録媒体。
【発明の詳細な説明】
【技術分野】
【０００１】
本発明は、尿中に存在する特定成分を測定する、尿中成分測定器および尿中成分測定方法に関する。例えば、トイレ外に携帯して持ち出すのに適した尿中成分測定器および尿中成分測定方法に関する。
【背景技術】
【０００２】
従来の、尿中に存在する特定成分を測定する尿中成分測定器としては、トイレ装置に個人認証機能を備えさせ、検尿結果等の人体情報をＩＣカードに記録させることができるものが提案されている（例えば、特許文献１参照）。
【０００３】
また、家庭で手軽に尿検査が行える装置として、携帯可能な尿中成分測定器が提案されている（例えば、特許文献２参照）。
【特許文献１】特許第３０３３４２０号公報
【特許文献２】特開平８−２４８０２６号公報
【発明の開示】
【発明が解決しようとする課題】
【０００４】
しかしながら、上記特許文献１では、トイレ内において、検尿結果等の人体情報をＩＣカードに記録可能とするトイレ装置が提案されているが、これは尿成分の測定部分がトイレ装置に備え付けであるため、トイレの便器や便座への設置工事が必要であり、携帯等できず手軽に使用することができなかった。
【０００５】
また、上記特許文献２記載の携帯型の尿中成分測定器では、測定結果の記録容量が限られていると共に、家族内の各個人の測定結果を個別に管理することができなかったために、プライバシーやセキュリティの確保が十分にできていなかった。
【０００６】
本発明は、上記従来の課題を考慮し、トイレ装置等への設置工事が不要で、測定結果の記録容量が大きい、尿中成分測定器および尿中成分測定方法を提供することを目的としている。
【課題を解決するための手段】
【０００７】
上述した課題を解決するために、第１の本発明は、
尿センサチップを装着するための尿センサチップ装着部と、
尿中の成分を測定する尿中成分測定手段と、
前記尿中成分測定手段の測定結果を記録する記録媒体を装着するための記録媒体装着部とを備えた、人の尿中の成分を計測する尿中成分測定器である。
【０００８】
第２の本発明は、
さらに、記録媒体が挿入できるように前記記録媒体装着部の開閉口を開放させる記録媒体受入手段を備え、
前記記録媒体受入手段は、前記尿センサチップが排出された場合に、前記記録媒体を挿入できるように前記記録媒体装着部の前記開閉口を開放させる、第１の本発明の尿中成分測定器である。
【０００９】
第３の本発明は、
さらに、前記記録媒体が装着されたことを検知する記録媒体検知手段と、
前記測定結果を表示する結果表示手段とを備え、
前記結果表示手段は、前記記録媒体検知手段により前記記録媒体の装着が検知された場合に、前記測定結果を表示する、第１または第２の本発明の尿中成分測定器である。
【００１０】
第４の本発明は、
さらに、前記尿中成分測定手段により尿中成分の測定を完了したことを検知する測定完了検知手段と、
前記測定完了検知手段により測定の完了が検知された際に、測定完了を報知する測定完了報知手段とを備えた、第１〜第３のいずれかの本発明の尿中成分測定器である。
【００１１】
第５の本発明は、
前記記録媒体は、個人識別情報記憶部を有しており、
さらに、前記個人識別情報記憶部から個人識別をおこなう情報を読み取って個人識別をおこなう個人識別手段を備えた、第１〜第４のいずれかの本発明の尿中成分測定器である。
【００１２】
第６の本発明は、
さらに、前記測定結果を一時的に記憶する尿中成分情報一時記憶手段を備え、
前記尿中成分情報一時記憶手段に記憶された前記測定結果を前記記録媒体に転送すると、前記尿中成分情報一時記憶手段に記憶された前記測定結果が削除される、第１〜第５のいずれかの本発明の尿中成分測定器である。
【００１３】
第７の本発明は、
さらに、前記尿センサチップが挿入されたことを検知するセンサ検知手段と、
前記尿センサチップが装着されている状態にある時に、前記記録媒体を挿入しようとすると報知する報知手段とを備えた、第１〜第６のいずれかの本発明の尿中成分測定器である。
【００１４】
第８の本発明は、
前記尿中成分測定器の、少なくともその一部に、抗菌処理および／または撥水加工処理がほどこされている、第１〜第７のいずれかの本発明の尿中成分測定器である。
【００１５】
第９の本発明は、
尿センサチップを装着するための尿センサチップ装着部、尿中の成分を測定する尿中成分測定手段、および前記尿中成分測定手段の測定結果を記録する記録媒体を装着するための記録媒体装着部を有する、人の尿中の成分を計測する尿中成分測定器に、前記尿センサチップを装着するステップと、
前記尿センサチップが前記尿中成分測定器から排出された場合に、前記記録媒体を挿入できるように前記記録媒体装着部の前記開閉口を開放するステップとを備えた、尿中成分測定方法である。
【００１６】
第１０の本発明は、
第５の本発明の尿中成分測定器の、
前記記録媒体の前記個人識別情報記憶部から個人識別をおこなう情報を読み取って個人識別をおこなう前記個人識別手段としてコンピュータを機能させるためのプログラムである。
【００１７】
第１１の本発明は、
第１０の本発明のプログラムを担持した記録媒体であって、コンピュータで利用可能な記録媒体である。
【発明の効果】
【００１８】
本発明により、トイレ装置等への設置工事が不要で、測定結果の記録容量が大きい、尿中成分測定器および尿中成分測定方法を提供することができる。
【発明を実施するための最良の形態】
【００１９】
以下に、本発明の実施の形態について図面を参照しながら説明する。
【００２０】
（実施の形態１）
図１は、本発明の実施の形態１における尿中成分測定システムの構成を示すブロック図である。
【００２１】
図１に示すように、本実施の形態１における尿中成分測定システム１００は、尿中成分測定器１１０と、取り外し自在な尿センサチップ１４０と、取り外し自在な記録媒体１３０とから構成されている。
【００２２】
記録媒体１３０は、尿中成分測定器１１０で測定された尿中成分の測定結果が記録される情報記憶部１３１を備えている。
【００２３】
尿中成分測定器１１０は、尿センサチップ１４０が挿入される尿センサチップ装着部１２８と、尿中の成分を測定する尿中成分測定手段１１１と、尿中成分測定手段１１１により尿中成分の測定を完了したことを検知する測定完了検知手段１１６と、測定が完了したことを利用者に知らせる測定完了報知手段１１７と、記録媒体１３０が挿入される記録媒体装着部１１２と、尿中成分の測定結果を表示する結果表示手段１１５とを備えている。
【００２４】
また、記録媒体装着部１１２は、尿センサチップ１４０が排出されると、記録媒体１３０を挿入できるように記録媒体装着部１１２の開閉口を開放する記録媒体受入手段１１４と、記録媒体１３０が装着されたことを検知する記録媒体検知手段１１３とを有している。
【００２５】
本実施の形態１の尿中成分測定システム１００で測定される尿中成分は、尿中塩分、尿たんぱく、尿糖、アルブミン、ウロビリノーゲン等とする。
【００２６】
尿中成分を検出する方法には、試験紙による測定方法や、蛍光反応を生じる化学物質を用いた液体クロマトグラフィーによる測定方法、および、抗原に対して特異的に結合する抗体を用いた免疫学的測定方法などがある。免疫学的測定方法の代表的なものには、化学発光免疫測定法、蛍光免疫測定法、酵素免疫測定法（ＥＩＡ）、抗体を結合させた微粒子を用いた免疫凝集法、およびイムノクロマトグラフィー法などがある。これらの中でも、化学発光免疫測定法、蛍光免疫測定法が、高感度測定が可能であるため、望ましい。本実施の形態１の尿中成分測定システム１００では、これらのいずれの検出方法を用いてもよい。
【００２７】
図２は、本発明の実施の形態１における尿中成分測定システム１００の外観図である。図１のブロック図と同じ構成部分については、同じ符号を用いている。
【００２８】
図２に示すように、尿中成分測定器１１０本体は、表示部１６０として液晶の表示画面と、操作キー１６１と、尿センサチップ装着部１２８と、記録媒体装着部１１２を備えた、持ち運びが簡単にできるハンディな装置として提案するものである。表示部１６０は、図１に示す結果表示手段１１５の機能を有している。
【００２９】
尿中成分の測定結果を表示部１６０で確認することができ、操作キー１６１を使って簡単に操作ができるので、初めて装置を使用する者や高齢者でも簡単に使用することができる。
【００３０】
取り外し自在な記録媒体１３０として、ここではＳＤメモリーカードを用いているが、メモリースティックやマルチメディアカード、スマートメディアなどの他のメディアを使用してもよい。
【００３１】
以上のように構成された本実施の形態１の尿中成分測定システム１００について、図２〜図４を用いて、以下にその動作、作用を説明する。
【００３２】
図３（ａ）、（ｂ）は、本実施の形態１の尿センサチップ１４０の外観図を示している。
【００３３】
図３（ａ）は、尿を採取する際の尿センサチップ１４０の状態を示している。尿センサチップ１４０は把持部１６２および尿センサ部１６３が設けられた構造になっており、尿センサ部１６３で尿を採取する。
【００３４】
まず、利用者が把持部１６２を手で持って、尿センサ部１６３に尿をかけるか、利用者が尿を紙コップ等に少量採取し、尿の入った紙コップに尿センサ部１６３を浸す。
【００３５】
図３（ｂ）は、尿を採取した後の尿センサチップ１４０の状態を示している。把持部１６２はキャップ式になっているので、尿センサ部１６３に尿がかかった後、図３（ａ）の状態から把持部１６２を取り外し、図３（ｂ）のように、尿がかかった尿センサ部１６３に把持部１６２をかぶせてフタをしてから、図２に示す尿中成分測定器１１０の尿センサチップ装着部１２８に尿センサチップ１４０を挿入する。
【００３６】
図４は、本実施の形態１の尿中成分測定システム１００の、尿中成分測定時の動作を示すフローチャートである。
【００３７】
尿中成分測定器１１０は、尿センサチップ１４０が挿入されたことを検知する（Ｓ１）と、尿中成分測定器１１０の電源が作動し、尿中成分の測定を開始する（Ｓ２）。
【００３８】
例えば、蛍光反応を生じる化学物質を用いた液体クロマトグラフィーによる測定方法を用いた場合、尿センサチップ１４０は、尿中の特定成分に反応して色が変化する。尿センサチップ１４０で反応して生じた色の濃度を尿中成分測定手段１１１の読み取り部分で読み取り、尿中成分測定手段１１１は、演算をおこなって尿中に含まれる塩分濃度等を計算し、測定を終了する（Ｓ３）。
【００３９】
測定完了検知手段１１６が測定を完了したことを検知すると、測定完了報知手段１１７は、測定完了を報知する。それと同時に、尿中成分測定手段１１１は、尿センサチップ１４０排出の指示を、尿中成分測定器１１０本体の表示部１６０に、たとえば、「測定が終了しました。ボタンを押してセンサチップを本体から外してください。」のように表示する（Ｓ４）。
【００４０】
尿センサチップ装着部１２８にイジェクター機能を設けておいてもよい。この場合、ボタンを押すだけで尿センサチップ１４０が尿中成分測定器１１０本体から外れるので、尿センサチップ１４０を手で外す必要がなく、手に触れずにそのまま汚物入れに入れることができる。なお、測定完了の報知方法は、表示部１６０への表示ではなく、報知音やメロディで報知するようにしてもよい。
【００４１】
次に、尿センサチップ１４０の排出が検知される（Ｓ５）と、記録媒体受入手段１１４が作動し、記録媒体１３０を挿入できるように記録媒体装着部１１２の開閉口を開放すると共に、尿中成分測定手段１１１の電源が自動的に切れる（Ｓ６）。
【００４２】
利用者は、ここまでの動作をトイレ内で行うが、以降の動作はトイレ外に出て、例えば、リビングや寝室等でおこなうこともできる。
【００４３】
次に、利用者が記録媒体１３０を尿中成分測定器１１０に挿入し、記録媒体検知手段１１３が記録媒体１３０の挿入を検知すると（Ｓ７）、自動的に表示部１６０の電源が作動し、表示可能な状態となり、表示部１６０に測定結果等の情報を表示する（Ｓ８）。
【００４４】
記録媒体１３０の挿入後、測定結果のデータが記録媒体１３０の情報記憶部１３１に書き込まれ、所定時間が経過した場合、特に表示の継続の要望およびその他の表示の要望がないかを確認して、記録媒体１３０を排出できるスタンバイ状態になる。そして、記録媒体検知手段１１３が記録媒体１３０の排出を検知すると、自動的に表示部１６０の電源が切れる（Ｓ９）。
【００４５】
本実施の形態１の尿中成分測定システム１００の構成によれば、尿中成分測定器１１０に取り外し自在な記録媒体１３０を備えたことにより、尿中成分測定器１１０を家に置いたままで記録媒体１３０のみを携帯して持ち歩くことが可能なので可搬性にすぐれている。したがって、測定結果や過去の履歴等を別の部屋やひいては医療機関に持参して医師に提示して見せることができる。また、別個の記録媒体１３０ごとに、利用者個人ごとの結果を記録することができるので、尿中成分測定器１１０本体を家族で共有することができ、コストの低減にもつながる。
【００４６】
また、尿センサチップ１４０が排出されないと記録媒体１３０が挿入できないので、記録媒体１３０が尿により汚染されることがない。また、尿中成分測定器１１０本体が携帯型であるので、記録媒体１３０をトイレ内に持ち込む必要がなく、トイレ以外の部屋で管理することができ、衛生的であり、尿で汚染された尿センサチップ１４０がはずされた状態で尿中成分測定器１１０本体をトイレ外に持ち出し、トイレ以外の部屋でゆっくりと結果を見ることができる。
【００４７】
本実施の形態１の尿中成分測定器１１０は、少なくとも一部が抗菌、撥水加工処理がほどこされた外装構成がされているので、尿中成分測定器１１０本体が尿に汚染されることがなく、衛生的に保つことができる。例えば、尿中成分測定器１１０の全体に抗菌、撥水加工処理をほどこしてもよいし、特に尿に汚染され易い尿センサチップ装着部１２８周辺のみに抗菌、撥水加工処理をほどこすようにしてもよい。
【００４８】
また、尿中成分測定器１１０から尿センサチップ１４０をはずした時に尿中成分測定手段１１１の電源がいったん切れ、記録媒体１３０が装着されてから、表示部１６０の電源が作動し測定結果情報を表示するので、測定終了後、トイレ外に尿中成分測定器１１０本体を持ち出し、結果を確認するまでのタイムラグが生じても、その間電源が作動していないので、尿中成分測定器１１０の電池の消耗を防ぎ、電池の節約が可能になると共に、利用者は長期間に渡り電池交換をせずにすむので手間が省ける。
【００４９】
また、測定完了を検知し、利用者に測定完了の報知と同時に尿センサチップ１４０排出の指示をするので、利用者は測定が完了したことを知ることができると同時に、尿センサチップ１４０をはずすタイミングを容易に知ることができるので、次の行動に早く移れる。
【００５０】
（実施の形態２）
図５は、本発明の実施の形態２における尿中成分測定システム１０１の構成を示すブロック図である。
【００５１】
本実施の形態２の尿中成分測定システム１０１の尿中成分測定器１５０は、図５に示すように、実施の形態１の尿中成分測定器１１０に加えて、個人識別手段１２３、計時手段１２０、尿中成分情報一時記憶手段１２１、および一時記憶情報削除手段１２２を備えたことを特徴としている。また、記録媒体１３５に、個人識別情報記憶部１３２を備えたことを特徴としている。なお、図５において、図１と同じ構成要素については同じ符号を用い、説明を省略する。
【００５２】
計時手段１２０は、尿中成分を測定した日時をカウントする。尿中成分情報一時記憶手段１２１は、測定結果を一時的に記憶する。一時記憶情報削除手段１２２は、記録媒体１３５を装着して測定結果と時間情報を記録媒体１３５に転送後、尿中成分情報一時記憶手段１２１に一時記憶させた測定結果情報を削除する。そして、個人識別手段１２３は、記録媒体１３５の装着時に、個人識別情報記憶部１３２に記録された個人情報を読み出して個人認識をおこなう。
【００５３】
以上のように構成された本実施の形態２の尿中成分測定システム１０１について、図２、図５、図６を用いて、以下にその動作、作用を説明する。
【００５４】
なお、尿中成分測定器１５０の外観図は、実施の形態１の尿中成分測定器１１０と同じであり、図２に示す通りである。
【００５５】
図６は、本実施の形態２の尿中成分測定システム１０１の、尿中成分測定時の動作を示すフローチャートである。図６において、図４と同じ処理内容については同じ符号を用い、説明を省略する。
【００５６】
尿中成分測定手段１１１により尿中成分の測定がされ（Ｓ２）、測定が終了する（Ｓ３）と、測定結果情報を測定日時とともにいったん一時記憶手段に記憶しておく（Ｓ１１）。
【００５７】
次に、記録媒体１３５が記録媒体装着部１１２に装着されたことを記録媒体検知手段１１３が検知する（Ｓ７）と、個人識別手段１２３は、記録媒体１３５の個人識別情報記憶部１３２より個人識別情報を読み取り、表示部１６０に利用者の名前等の個人識別情報を表示し（Ｓ１２）、暗証番号入力の指示をおこなう。
【００５８】
次に、操作キー１６１により暗証番号が入力されると、個人識別手段１２３は、暗証番号の照合をおこない（Ｓ１３）、正しい暗証番号が入力されていることを確認すると、測定結果を表示する（Ｓ８）。個人識別情報と入力された暗証番号が合致しない場合は、暗証番号不一致であることを報知する（Ｓ１６）。例えば、記録媒体１３５が本人のものであるかどうかの確認をするよう注意をうながす内容を表示部１６０に表示してもよいし、エラー音をならして報知してもよい。
【００５９】
測定結果を表示すると同時に、あわせて尿中成分情報一時記憶手段１２１に記憶されている測定日時と測定結果を、自動的に記録媒体１３５に転送して、記録媒体１３５に記録する（Ｓ１４）。そして、記録媒体１３５の情報記憶部１３１への記録が完了したことを検知すると、一時記憶情報削除手段１２２は尿中成分情報一時記憶手段１２１に記憶されている情報を削除する（Ｓ１５）。
【００６０】
そして、記録媒体検知手段１１３が、記録媒体１３５の排出を検知すると、自動的に表示部１６０の電源が切れる（Ｓ９）。
【００６１】
本実施の形態２の尿中成分測定システム１０１の構成によれば、取り外し自在な記録媒体１３５ごとに、利用者個人ごとの測定結果を記録することができるので、個人の尿検査結果を家族や他人に見られることがなく、プライバシーの保護やセキュリティの確保ができる。
【００６２】
また、記録媒体１３５を装着し、測定結果情報を記録媒体１３５に転送した後に、尿中成分測定器１５０内に一時記憶させた測定結果情報を削除するため、尿中成分測定器１５０本体にはその情報が残らず、尿中成分測定器１５０を共有している家族や他の人に測定結果を見られることがなく、プライバシーの保護が可能である。
【００６３】
また、記録媒体１３５が装着されていることを検知した場合にのみ、測定結果情報を表示し、自動的に記録媒体１３５に結果を記録するので、結果の記録忘れを防止することができる。また、何度も測定した上でよい結果のみに限定して結果を記録するというような結果データに対する故意の操作を防ぐこともでき、測定した全ての結果を記録しておくことができる。
【００６４】
また、記録媒体１３５が尿中成分測定器１５０に装着された際、記録媒体１３５に記録された個人情報の確認をおこない、暗証番号による照合をおこなうので、記録媒体１３５が本人のものであるかどうかを確認することができ、間違って他人の記録媒体１３５を使用した場合、記録媒体１３５に記名がされていなくても利用者が容易に気づくことができると同時に、他人に結果を見られる心配もなくセキュリティの確保が可能である。
【００６５】
（実施の形態３）
図７は、本発明の実施の形態３における尿中成分測定システム１０２の構成を示すブロック図である。
【００６６】
本実施の形態３の尿中成分測定システム１０２の尿中成分測定器１５１は、図７に示すように、実施の形態１の記録媒体受入手段１１４の代わりに、センサ検知手段１２５および報知手段１２６を備えたことを特徴としている。なお、図７において、図１と同じ構成要素については同じ符号を用い、説明を省略する。
【００６７】
本実施の形態３の尿中成分測定器１５１のセンサ検知手段１２５は、尿センサチップ１４０が排出されたことを検知する。また、報知手段１２６は、尿センサチップ１４０が尿中成分測定器１５１に装着されたままの状態で、記録媒体１３０を挿入しようとすると、報知して警告する。
【００６８】
以上のように構成された尿中成分測定システムについて、以下に図８を用いて、その動作、作用を説明する。図８は、本実施の形態３の尿中成分測定システム１０２の、尿中成分測定時の動作を示すフローチャートである。図８において、図４と同じ処理内容については同じ符号を用い、説明を省略する。
【００６９】
尿中成分の測定を完了し、測定完了を報知する（Ｓ４）までの処理内容は、図４のフローチャートに示す実施の形態１と同様であるので、それ以降の動作について説明する。
【００７０】
記録媒体検知手段１１３が記録媒体装着部１２７の開閉口で、記録媒体１３０を挿入しようとしていることを検知する（Ｓ２０）と、センサ検知手段１２５は、尿センサチップ１４０が装着状態にあるかどうかを確認する（Ｓ２１）。
【００７１】
尿センサチップ１４０が排出されていることを確認できた場合には、記録媒体装着部１２７の開閉口を開放して記録媒体１３０の挿入を可能にし、記録媒体１３０が挿入されれば、測定結果を表示する（Ｓ２２）。一方、尿センサチップ１４０が排出されておらず、装着されたままである場合は警告を発し、尿センサチップ１４０の排出をうながす（Ｓ２３）。
【００７２】
本実施の形態３の尿中成分測定システム１０２の構成によれば、尿のついた尿センサチップ１４０により、記録媒体１３０が汚染されることを防ぐことができる。
【００７３】
なお、本発明のプログラムは、上述した本発明の尿中成分測定器の個人識別手段の機能をコンピュータにより実行させるためのプログラムであって、コンピュータと協働して動作するプログラムである。
【００７４】
また、本発明の記録媒体は、上述した本発明の尿中成分測定器の個人識別手段の機能をコンピュータにより実行させるためのプログラムを担持した記録媒体であり、コンピュータにより読み取り可能かつ、読み取られた前記プログラムが前記コンピュータと協働して利用される記録媒体である。
【００７５】
また、本発明のプログラムの一利用形態は、コンピュータにより読み取り可能な記録媒体に記録され、コンピュータと協働して動作する態様であっても良い。
【００７６】
また、記録媒体としては、ＲＯＭ等が含まれる。
【００７７】
また、上述した本発明のコンピュータは、ＣＰＵ等の純然たるハードウェアに限らず、ファームウェアや、ＯＳ、更に周辺機器を含むものであっても良い。
【００７８】
なお、以上説明した様に、本発明の構成は、ソフトウェア的に実現しても良いし、ハードウェア的に実現しても良い。
【００７９】
以上に説明したように、本発明の尿中成分測定システムは、尿中成分測定器と取り外し自在な尿センサチップおよび記録媒体とから構成され、尿中成分測定器は、尿中の成分を測定する尿中成分測定手段と、記録媒体装着部と、尿センサチップが排出されると、記録媒体を挿入できるように記録媒体装着部の開閉口を開放する記録媒体受入手段と、記録媒体が装着されたことを検知する記録媒体検知手段と、記録媒体検知手段により記録媒体の装着が検知された場合に検出結果を表示する結果表示手段とから構成されているので、記録媒体が尿に汚染されることなく衛生的に保てる。
【００８０】
また、本発明の尿中成分測定システムは、家庭内の各個人の尿検査結果を個別に管理し、かつこれらの結果を他人に見られることがないようプライバシーやセキュリティの確保ができ、衛生的で使い勝手がよい。
【００８１】
また、本発明の尿中成分測定システムは、尿中成分測定器が携帯型であるので、結果をゆっくりトイレ以外の部屋で見ることができ、また、尿センサチップが排出されないと記録媒体が挿入できないので、記録媒体が尿により汚染されることがなく、衛生的に保つことができる。また、記録媒体が装着されていることを検知した場合にのみ、測定結果を表示し、自動的に記録媒体に結果を記録するので、結果の記録忘れを防止することができる。また、取り外し自在な記録媒体に、利用者個人ごとに記録媒体に結果を記録することができるので、結果情報を記録媒体に転送した後、測定結果情報を削除するため、尿中成分測定器本体には情報が残らず、測定器を家族と共有している場合においても、健康情報を他人に見られることがなく、プライバシーの保護やセキュリティの確保ができる。
【産業上の利用可能性】
【００８２】
本発明にかかる尿中成分測定器と記録媒体は、携帯型の尿中成分測定器や尿中成分測定システムとして有用である。
【図面の簡単な説明】
【００８３】
【図１】本発明の実施の形態１における尿中成分測定システムのブロック図
【図２】本発明の実施の形態１における尿中成分測定システムの外観図
【図３】本発明の実施の形態１における尿中成分測定システムの、（ａ）尿を採取する際の状態を示す尿センサチップの外観図、（ｂ）尿を採取した後の状態を示す尿センサチップの外観図
【図４】本発明の実施の形態１における尿中成分測定方法のフローチャート
【図５】本発明の実施の形態２における尿中成分測定システムのブロック図
【図６】本発明の実施の形態２における尿中成分測定方法のフローチャート
【図７】本発明の実施の形態３における尿中成分測定システムのブロック図
【図８】本発明の実施の形態３における尿中成分測定方法のフローチャート
【符号の説明】
【００８４】
１００、１０１、１０２  尿中成分測定システム
１１０、１５０、１５１  尿中成分測定器
１１１  尿中成分測定手段
１１２、１２７  記録媒体装着部
１１３  記録媒体検知手段
１１４  記録媒体受入手段
１１５  結果表示手段
１１６  測定完了検知手段
１１７  測定完了報知手段
１２０  計時手段
１２１  尿中成分情報一時記憶手段
１２２  一時記憶情報削除手段
１２３  個人識別手段
１２５  センサ検知手段
１２６  報知手段
１２８  尿センサチップ装着部
１３０、１３５  記録媒体
１４０  尿センサチップ
【図１】
2006052951.tif 000003
【図２】
2006052951.tif 000004
【図３】
2006052951.tif 000005
【図４】
2006052951.tif 000006
【図５】
2006052951.tif 000007
【図６】
2006052951.tif 000008
【図７】
2006052951.tif 000009
【図８】
2006052951.tif 000010